(57)【要約】  異常の発生位置に対応した昇降路の画像を提示することができるエレベーターの点検装置を提供する。エレベーターの点検装置は、エレベーターのかごの位置から見た際の昇降路の内部の画像情報を記憶した記憶部と、前記かごに設けられた検出装置が検出した音の情報および振動の情報の少なくとも一方の情報を取得する情報取得部と、前記記憶部に記憶された画像情報と前記情報取得部に取得された情報を視覚化した画像情報とを鉛直方向の位置に合わせて同期させた点検画像情報を生成する同期部と、を備えた。
2020012608.tif 000002
【特許請求の範囲】
【請求項１】
エレベーターのかごの位置から見た際の昇降路の内部の画像情報を記憶した記憶部と、
前記かごに設けられた検出装置が検出した音の情報および振動の情報の少なくとも一方の情報を取得する情報取得部と、
前記記憶部に記憶された画像情報と前記情報取得部に取得された情報を視覚化した画像情報とを鉛直方向の位置に合わせて同期させた点検画像情報を生成する同期部と、
を備えたエレベーターの点検装置。
【請求項２】
前記同期部は、前記情報取得部により取得された音の情報と前記点検画像情報とを同期させる請求項１に記載のエレベーターの点検装置。
【請求項３】
前記同期部は、前記情報取得部により取得された異常点検時の情報と正常時の情報との差分に基づいた視覚的エフェクトを決定する請求項１に記載のエレベーターの点検装置。
【請求項４】
前記同期部は、前記情報取得部により取得された過去の複数の時点の情報を並べて視覚化した点検画像情報を生成する請求項１に記載のエレベーターの点検装置。
【請求項５】
前記記憶部は、前記昇降路の内部の画像情報として、前記かごに取り付けられたカメラにより撮影された画像情報を記憶した請求項１から請求項３のいずれか一項に記載のエレベーターの点検装置。
【請求項６】
前記記憶部は、前記昇降路１の内部の画像情報として、前記エレベーターの設計情報から生成された画像情報を記憶した請求項１から請求項３のいずれか一項に記載のエレベーターの点検装置。
【発明の詳細な説明】
【技術分野】
【０００１】
この発明は、エレベーターの昇降路の内部の状態を提示する機能を備えた点検装置に関する。
【背景技術】
【０００２】
特許文献１は、エレベーターの異常音監視装置を開示する。当該異常音監視装置によれば、かごが走行中の異常音を検出し得る。
【先行技術文献】
【特許文献】
【０００３】
【特許文献１】日本特開２００２−０３７５６１号公報
【発明の概要】
【発明が解決しようとする課題】
【０００４】
しかしながら、特許文献１に記載の異常音検出装置においては、異常音の発生位置に対応した昇降路の画像を正確に提示できない。このため、異常の発生原因の調査に多くの時間を要する。【０００５】
この発明は、上述の課題を解決するためになされた。この発明の目的は、異常の発生位置に対応した昇降路の画像を提示することができるエレベーターの点検装置を提供することである。
【課題を解決するための手段】
【０００６】
この発明に係るエレベーターの点検装置は、エレベーターのかごの位置から見た際の昇降路の内部の画像情報を記憶した記憶部と、前記かごに設けられた検出装置が検出した音の情報および振動の情報の少なくとも一方の情報を取得する情報取得部と、前記記憶部に記憶された画像情報と前記情報取得部に取得された情報を視覚化した画像情報とを鉛直方向の位置に合わせて同期させた点検画像情報を生成する同期部と、を備えた。
【発明の効果】
【０００７】
この発明によれば、昇降路の内部の画像情報と音の情報および振動の情報の少なくとも一方の情報を視覚化した画像情報とは、鉛直方向の位置に合わせて同期される。このため、異常の発生位置に対応した昇降路の画像を容易に提示することができる。
【図面の簡単な説明】
【０００８】
【図１】実施の形態１におけるエレベーターの点検装置が適用されるエレベーターシステムの構成図である。
【図２】実施の形態１におけるエレベーターの点検装置としての保守端末のブロック図である。
【図３】実施の形態１におけるエレベーターの点検装置としての保守端末の表示画面を示す図である。
【図４】実施の形態１におけるエレベーターの点検装置としての保守端末の動作の概要を説明するためのフローチャートである。
【図５】実施の形態１におけるエレベーターの点検装置としての保守端末のハードウェア構成図である。
【図６】実施の形態２におけるエレベーターの点検装置としての保守端末のブロック図である。
【図７】実施の形態２におけるエレベーターの点検装置としての保守端末の表示画面を示す図である。
【図８】実施の形態２におけるエレベーターの点検装置としての保守端末の動作の概要を説明するためのフローチャートである。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略する。
【００１０】
実施の形態１．
図１は実施の形態１におけるエレベーターの点検装置が適用されるエレベーターシステムの構成図である。
【００１１】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１２】
巻上機４は、機械室２に設けられる。主ロープ５は、巻上機４に巻き掛けられる。
【００１３】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１４】
複数の乗場ドア８の各々は、複数の乗場３の各々の出入口に設けられる。かごドア９は、かご６の出入口に設けられる。
【００１５】
制御装置１０は、機械室２に設けられる。制御装置１０は、巻上機４とかご６の機器とに電気的に接続される。制御装置１０は、エレベーターを全体的に制御し得るように設けられる。
【００１６】
監視装置１１は、機械室２に設けられる。監視装置１１は、制御装置１０に電気的に接続される。監視装置１１は、制御装置１０からの情報に基づいてエレベーターの状態を監視し得るように設けられる。
【００１７】
情報センター装置１２は、エレベーターが設けられた建築物から離れた場所に設けられる。例えば、情報センター装置１２は、エレベーターの保守会社に設けられる。情報センター装置１２は、監視装置１１からの情報に基づいてエレベーターの状態を把握し得るように設けられる。
【００１８】
保守端末１３は、点検装置として、エレベーターの保守員に携帯される。保守端末１３は、かご６の位置から見た際の昇降路１の内部の画像情報を予め記憶する。
【００１９】
エレベーターの異常点検時において、保守員は、かご６の外側においてかご６の上部に検出装置としてマイク１４と振動センサ１５とを取り付ける。保守員は、保守端末１３を操作することにより制御装置１０を介してかご６を昇降させる。
【００２０】
この際、保守端末１３は、マイク１４からの音の情報を記憶する。保守端末１３は、振動センサ１５からの振動の情報を記憶する。保守端末１３は、かご６の位置から見た際の昇降路１の内部の画像情報とマイク１４からの音の情報を視覚化した画像情報と振動センサ１５からの振動の情報を視覚化した情報とを同時を表示する。この際、保守端末１３は、音の情報も同期させて出力する。
【００２１】
次に、図２を用いて、保守端末１３を説明する。
図２は実施の形態１におけるエレベーターの点検装置としての保守端末のブロック図である。
【００２２】
図２に示されるように、保守端末１３は、記憶部１３ａと情報取得部１３ｂと同期部１３ｃと出力制御部１３ｄとを備える。
【００２３】
記憶部１３ａは、かご６の位置から見た際の昇降路１の内部の画像情報を記憶する。例えば、記憶部１３ａは、エレベーターの新設時においてかご６が低速で走行している際にかご６に取り付けられた図示されない１８０度カメラまたは３６０度カメラにより撮影された画像情報を記憶する。例えば、エレベーターの設計情報からＶｉｒｔｉａｌ  Ｒｅａｌｉｔｙ技術により生成された画像情報を記憶する。
【００２４】
情報取得部１３ｂは、マイク１４から音の情報を取得する。情報取得部１３ｂは、振動センサ１５から振動の情報を取得する。情報取得部１３ｂは、制御装置１０からエレベーターの制御情報としてかご６の移動開始位置情報と移動方向の情報と加速度の情報と移動時間の情報とを取得する。
【００２５】
同期部１３ｃは、記憶部１３ａに記憶された画像情報と情報取得部１３ｂに取得された音の情報および振動の情報の少なくとも一方を視覚化した画像情報とを同期させた点検画像情報を生成する。同期部１３ｃは、エレベーターの制御情報に基づいて鉛直方向の位置に合わせて同期させた点検画像情報を生成する。同期部１３ｃは、情報取得部１３ｂにより取得された音の情報と点検画像情報とを同期させる。
【００２６】
出力制御部１３ｄは、エレベーターの制御情報に基づいてかご６の鉛直方向の移動速度に対応して同期部１３ｃにより同期された点検画像情報を保守端末１３の表示画面に出力させる。この際、出力制御部１３ｄは、点検画像情報に同期させた音の情報を保守端末１３の図示されないスピーカーに出力させる。
【００２７】
次に、図３を用いて、保守端末１３の表示画面を説明する。
図３は実施の形態１におけるエレベーターの点検装置としての保守端末の表示画面を示す図である。
【００２８】
図３に示されるように、昇降路１の内部の画像情報は、表示画面の上部に表示される。音の情報を視覚化した画像情報は、表示画面において昇降路１の内部の画像情報の直下に表示される。かご６の前後方向の振動の情報を視覚化した画像情報は、表示画面において音の情報を視覚化した画像情報の直下に表示される。かご６の左右方向の振動の情報を視覚化した画像情報は、表示画面においてかご６の前後方向の振動の情報を視覚化した画像情報の直下に表示される。かご６の上下方向の振動の情報を視覚化した画像情報は、表示画面においてかご６の左右方向の振動の情報を視覚化した画像情報の直下に表示される。シークバーは、表示画面においてかご６の上下方向の振動の情報を視覚化した画像情報の直下に表示される。
【００２９】
シークバーの左側は、昇降路１の下側に対応する。シークバーの右側は、昇降路１の上側に対応する。
【００３０】
例えば、昇降路１の内部の画像情報は、昇降路１の下側から上側に向けて動画として再生される。この際、シークバーにおいて、スライダーは、動画の生成に応じて左側から右側に移動する。スライダーの位置は、昇降路１の内部の画像情報に対応した音の情報と振動の情報との位置を示す。
【００３１】
次に、図４を用いて、保守端末１３の動作の概要を説明する。
図４は実施の形態１におけるエレベーターの点検装置としての保守端末の動作の概要を説明するためのフローチャートである。
【００３２】
ステップＳ１では、保守端末１３は、異常点検時の音の情報と振動の情報とを読み込む。その後、保守端末１３は、ステップＳ２の動作を行う。ステップＳ２では、保守端末１３は、昇降路１の内部の画像情報を読み込む。その後、保守端末１３は、ステップＳ３の動作を行う。
【００３３】
ステップＳ３では、保守端末１３は、昇降路１の内部の画像情報と異常点検時の音の情報を視覚化した画像情報と異常点検時の振動の情報を視覚化した画像情報とを同期させて点検画像情報を生成する。その後、保守端末１３は、ステップＳ４の動作を行う。ステップＳ４では、保守端末１３は、点検画像情報を再生する。その後、保守端末１３は、動作を終了する。
【００３４】
以上で説明した実施の形態１によれば、昇降路１の内部の画像情報と音の情報および振動の情報の少なくとも一方の情報を視覚化した画像情報とは、鉛直方向の位置に合わせて同期される。このため、異常の発生位置に対応した昇降路１の画像を容易に提示することができる。その結果、作業員の感覚に頼らずに、異常の発生原因を短時間で見つけることができる。
【００３５】
この際、エレベーターの制御情報に基づいて点検画像情報の再生開始位置と再生速度と再生終了位置とが決定される。このため、昇降路１の内部の画像情報として１つのファイルを参照するだけでよい。その結果、保存データ量を削減することができる。
【００３６】
なお、異常点検時においては、カメラが不要であり、マイク１４と振動センサ１５とを持ち込むだけでよい。このため、必要となるセンサ類を最小限とし、安価な点検ツールとすることができる。
【００３７】
また、マイク１４と振動センサ１５とを常時設置してもよい。この場合、エレベーターの通常運行時にも異常を点検することができる。このため、多くの利用者がかご６に乗っているときにしか発生しない異常も検出することができる。
【００３８】
また、音の情報は、点検画像情報と同期する。このため、異常音の発生位置に対応した昇降路１の画像を容易に提示することができる。
【００３９】
また、昇降路１の内部の画像情報は、カメラにより撮影される。このため、現実に即した状態で異常の発生位置に対応した昇降路１の画像を容易に提示することができる。
【００４０】
また、昇降路１の内部の画像情報は、エレベーターの設計情報から生成される。このため、昇降路１の内部が暗い場合でも異常の発生位置に対応した昇降路１の画像を容易に提示することができる。
【００４１】
次に、図５を用いて、保守端末１３の例を説明する。
図５は実施の形態１におけるエレベーターの点検装置としての保守端末のハードウェア構成図である。
【００４２】
保守端末１３の各機能は、処理回路により実現し得る。例えば、処理回路は、少なくとも１つのプロセッサ１６ａと少なくとも１つのメモリ１６ｂとを備える。例えば、処理回路は、少なくとも１つの専用のハードウェア１７を備える。
【００４３】
処理回路が少なくとも１つのプロセッサ１６ａと少なくとも１つのメモリ１６ｂとを備える場合、保守端末１３の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１６ｂに格納される。少なくとも１つのプロセッサ１６ａは、少なくとも１つのメモリ１６ｂに記憶されたプログラムを読み出して実行することにより、保守端末１３の各機能を実現する。少なくとも１つのプロセッサ１６ａは、中央処理装置、処理装置、演算装置、マイクロプロセッサ、マイクロコンピュータ、ＤＳＰともいう。例えば、少なくとも１つのメモリ１６ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４４】
処理回路が少なくとも１つの専用のハードウェア１７を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、保守端末１３の各機能は、それぞれ処理回路で実現される。例えば、保守端末１３の各機能は、まとめて処理回路で実現される。
【００４５】
保守端末１３の各機能について、一部を専用のハードウェア１７で実現し、他部をソフトウェアまたはファームウェアで実現してもよい。例えば、同期部１３ｃの機能については専用のハードウェア１７としての処理回路で実現し、同期部１３ｃの機能以外の機能については少なくとも１つのプロセッサ１６ａが少なくとも１つのメモリ１６ｂに格納されたプログラムを読み出して実行することにより実現してもよい。
【００４６】
このように、処理回路は、ハードウェア１７、ソフトウェア、ファームウェア、またはこれらの組み合わせで保守端末１３の各機能を実現する。
【００４７】
図示されないが、制御装置１０の各機能も、保守端末１３の各機能を実現する処理回路と同等の処理回路で実現される。監視装置１１の各機能も、保守端末１３の各機能を実現する処理回路と同等の処理回路で実現される。情報センター装置１２の各機能も、保守端末１３の各機能を実現する処理回路と同等の処理回路で実現される。
【００４８】
実施の形態２．
図６は実施の形態２におけるエレベーターの点検装置としての保守端末のブロック図である。なお、実施の形態１の部分と同一又は相当部分には同一符号が付される。当該部分の説明は省略される。
【００４９】
実施の形態２の保守端末１３は、実施の形態１の保守端末１３に対して差分算出部１３ｅと視覚的エフェクト決定部１３ｆとが付加された保守端末である。
【００５０】
差分算出部１３ｅは、異常点検時と正常時とにおける音の情報の差分または振動の情報の差分が生じる範囲の時刻を算出する。視覚的エフェクト決定部１３ｆは、差分算出部１３ｅの算出結果に基づいて視覚的エフェクトを決定する。
【００５１】
次に、図７を用いて、保守端末１３の表示画面を説明する。
図７は実施の形態２におけるエレベーターの点検装置としての保守端末の表示画面を示す図である。
【００５２】
図７において、異常点検時と正常時とにおける音の情報の差分が予め設定された差分よりも大きい場合、視覚的エフェクトが出力される。例えば、昇降路１の内部の画像情報の色が当該差分の大きさに応じて変化する。例えば、砂嵐エフェクト等のノイズエフェクトが昇降路１の内部の画像情報に加えられる。
【００５３】
図７において、異常点検時と正常時とにおける振動の情報の差分が予め設定された差分よりも大きい場合、視覚的エフェクトが出力される。例えば、昇降路１の内部の画像情報が当該差分の向きと大きさとに応じて揺れる。例えば、かご６の前後方向の振動が大きい場合、昇降路１の内部の画像情報が大きくなったり小さくなったりする。例えば、かご６の左右方向の振動が大きい場合、昇降路１の内部の画像情報が左に動いたり右に動いたりする。例えば、かご６の上下方向の振動が大きい場合、昇降路１の内部の画像情報が上に動いたり下に動いたりする。
【００５４】
次に、図８を用いて、保守端末１３の動作の概要を説明する。
図８は実施の形態２におけるエレベーターの点検装置としての保守端末の動作の概要を説明するためのフローチャートである。
【００５５】
ステップＳ１１では、保守端末１３は、異常点検時の音の情報と振動の情報とを読み込む。その後、保守端末１３は、ステップＳ１２の動作を行う。ステップＳ１２では、保守端末１３は、正常時の音の情報と振動の情報とを読み込む。その後、保守端末１３は、ステップＳ１３の動作を行う。
【００５６】
ステップＳ１３では、保守端末１３は、異常点検時と正常時とにおける音の情報の差分また振動の情報の差分が生じる範囲の時刻を算出する。その後、保守端末１３は、ステップＳ１４の動作を行う。ステップＳ１４では、保守端末１３は、算出結果に基づいて視覚的エフェクトを決定する。その後、保守端末１３は、ステップＳ１５の動作を行う。
【００５７】
ステップＳ１５では、保守端末１３は、昇降路１の内部の画像情報を読み込む。その後、保守端末１３は、ステップＳ１６の動作を行う。ステップＳ１６では、保守端末１３は、昇降路１の内部の画像情報と異常点検時の音の情報を視覚化した画像情報と異常点検時の振動の情報を視覚化した画像情報とを同期させて点検画像情報を生成する。その後、保守端末１３は、ステップＳ１７の動作を行う。ステップＳ１７では、保守端末１３は、点検画像情報を再生する。その後、保守端末１３は、動作を終了する。
【００５８】
以上で説明した実施の形態２によれば、保守端末１３は、異常点検時の情報と正常時の情報の差分に基づいた視覚的エフェクトを出力する。このため、音の情報または振動の情報から視覚化された画像情報では分りにくい異常も的確に提示することができる。その結果、音の情報または振動の情報から視覚化された画像情報を見慣れない保守員でも、異常の有無および異常の発生個所を容易に認識することができる。
【００５９】
なお、情報を定期的に取得し、前回得られた情報と今回得られた情報との差分に基づいた視覚的エフェクトを出力してもよい。この場合、音の情報または振動の情報から視覚化された画像情報では分りにくい劣化も的確に提示することができる。
【００６０】
また、実施の形態１または実施の形態２の保守端末１３において、過去の複数の時点での情報を並べて視覚化した点検画像情報を生成してもよい。この場合、保守員の感覚では分りにくい異常の進行を的確に提示することができる。
【００６１】
また、実施の形態１または実施の形態２の保守端末１３を機械室２がないエレベーターに適用してもよい。この場合も、異常の発生位置に対応した昇降路の画像を容易に提示することができる。
【００６２】
また、実施の形態１または実施の形態２の保守端末１３をタブレット端末としてもよい。この場合、タブレット端末の向きの変化に応じて昇降路１の内部の画像情報の向きを変化させてもよい。この場合、異常の発生位置に対応した昇降路１の画像をより容易に提示することができる。
【産業上の利用可能性】
【００６３】
以上のように、この発明に係るエレベーターの監視装置は、エレベーターシステムに利用できる。
【符号の説明】
【００６４】
１  昇降路、  ２  機械室、  ３  乗場、  ４  巻上機、  ５  主ロープ、  ６  かご、  ７  釣合おもり、  ８  乗場ドア、  ９  かごドア、  １０  制御装置、  １１  監視装置、  １２  情報センター装置、  １３  保守端末、  １３ａ  記憶部、  １３ｂ  情報取得部、  １３ｃ  同期部、  １３ｄ  出力制御部、  １３ｅ  差分算出部、  １３ｆ  視覚的エフェクト決定部、  １４  マイク、  １５  振動センサ、  １６ａ  プロセッサ、  １６ｂ  メモリ、  １７  ハードウェア
【図１】
2020012608.tif 000003
【図２】
2020012608.tif 000004
【図３】
2020012608.tif 000005
【図４】
2020012608.tif 000006
【図５】
2020012608.tif 000007
【図６】
2020012608.tif 000008
【図７】
2020012608.tif 000009
【図８】
2020012608.tif 000010
【国際調査報告】
2020012608.tif 000011
2020012608.tif 000012